(57)【要約】【課題】卓上に置いた際に安定性を有し、浄水ポットのみを基台部より取り外して取り扱い冷蔵庫へ入れることができる上に、浄水剤を介して水を所定時間循環できる構成とすることにより、浄水能力を高めたポット型浄水器を提供する。【解決手段】回転軸に永久磁石を取り付けた駆動モータを内部に収装させた基台部と、この基台部の上部に設けた装着凹部へその底部を着脱可能に嵌着させる浄水ポットとから成り、この浄水ポットは、循環パイプと、この循環パイプの基部に永久磁石或は磁性体と共に回転可能に設けた揚水ファンと、前記循環パイプの上部に設けたカゴ部を有し、前記駆動モータの駆動力を磁力吸着力によって揚水ファンへ伝達すると共に、前記カゴ部内に浄水剤を収納させ、前記循環パイプより噴出して落下する水を所定時間前記浄水剤の中に通して循環させる。【選択図】          図１
2004305996.tif 000002
【特許請求の範囲】
【請求項１】
回転軸に永久磁石を取り付けた駆動モータを内部に収装させた基台部と、この基台部の上部に設けた装着凹部へその底部を着脱可能に嵌着させる浄水ポットとから成り、この浄水ポットは、循環パイプと、この循環パイプの基部に永久磁石或は磁性体と共に回転可能に設けた揚水ファンと、前記循環パイプの上部に設けたカゴ部を有し、前記駆動モータの駆動力を磁力吸着力によって揚水ファンへ伝達すると共に、前記カゴ部内に浄水剤を収納させ、前記循環パイプより噴出して落下する水を所定時間前記浄水剤の中に通して循環させることを特徴とする、ポット型浄水器。
【請求項２】
前記蓋体の前記循環パイプを囲う部分を透明とし、該噴出パイプより噴出する水を外部より見ることができるように構成したことを特徴とする、請求項１に記載のポット型浄水器。
【請求項３】
前記浄水剤は、カートリッジ方式であることを特徴とする、請求項１に記載のポット型浄水器。
【請求項４】
前記カゴ部の部分と注ぎ口の部分とは、仕切壁によって仕切られていることを特徴とする、請求項１に記載のポット型浄水器。
【発明の詳細な説明】
【０００１】
【発明の属する技術分野】
この発明は、循環式のポット型浄水器に関する。
【０００２】
【従来の技術】
従来、ポット型浄水器として、次のごとき特許文献に記載されたものが公知である。
【０００３】
【特許文献１】特開平１０−１１３６５１号公開特許公報
【特許文献２】特開平１１−３０９４４７号公開特許公報
【０００４】
上記特許文献１のものは、送水ポンプを収装した基台部上に貯水ポットを固着したもので、貯水ポット内の水を送水ポンプを介して該貯水ポット内に立設した内部に浄水剤を封入したパイプ内を通し、注ぎ口より吐出させる構成のものであり、上記特許文献２のものは、貯水タンクの上部にポンプや浄水器具を取り付け、貯水タンク内の水をポンプを作動させて浄水器具内を通して吐出口より吐出させるものであった。
【０００５】
【発明が解決しようとする課題】
水は単に浄水させただけではなく、これを冷却して冷たくすることによって一層美味しさが引き立つものであるため、浄水した水を冷蔵庫へ入れて冷却できることが望ましいが、上述した特許文献１のものは、基台部と、貯水ポットが一体であり、互いに分離不可能であるため、冷蔵庫へ入れると嵩張って収納スペースを多くとってしまうという問題があった。
【０００６】
また、上述した特許文献２のものは、貯水タンクの上部にポンプや浄水器具をセットする構成のものであったために、上部が重たくなって安定性に欠けるという問題があった。
【０００７】
さらに、上記特許文献１と２のものは両方とも、所定時間水を浄水剤を介して循環させる構成のものでないため、浄水能力が不充分であるという問題もあった。
【０００８】
この発明の目的は、卓上に置いた際に安定性を有し、浄水ポットのみを基台部より取り外して取り扱い冷蔵庫へ入れることができる上に、浄水剤を介して水を所定時間循環できる構成とすることにより、浄水能力を高めたポット型浄水器を提供せんとするにある。
【０００９】
【課題を解決するための手段】
上述した目的を達成するためにこの発明は、回転軸に永久磁石を取り付けた駆動モータを内部に収装させた基台部と、この基台部の上部に設けた装着凹部へその底部を着脱可能に嵌着させる浄水パイプとから成り、この浄水ポットは、循環パイプと、この循環パイプの基部に永久磁石或は磁性体と共に回転可能に設けた揚水ファンと、前記循環パイプの上部に設けたカゴ部を有し、前記駆動モータの駆動力を磁力吸着力によって揚水ファンへ伝達すると共に、前記カゴ部内に浄水剤を収納させ、前記循環パイプより噴出して落下する水を所定時間前記浄水剤の中に通して循環させることを特徴とする。
【００１０】
その際にこの発明は、前記蓋体の前記循環パイプを囲う部分を透明とし、該噴出パイプより噴出する水を外部より見ることができるように構成することができる。
【００１１】
この発明はまた、前記浄水剤を、カートリッジ方式とすることができる。
【００１２】
そしてこの発明は、前記カゴ部の部分と注ぎ口の部分とを、仕切壁によって仕切るものである。
【００１３】
【発明の実施の形態】
図面はこの発明の一実施の形態を示し、図面によれば指示記号１で示されたものは基台部であり、内部に駆動モータ２を収納させてある。この駆動モータ２の回転軸２ａには永久磁石３が取り付けられ、この永久磁石３は基台部１の上部に設けた後述する浄水ポットの底部を嵌入させる装着凹部４の底板５に僅かな間隙を設けて対向している。基台部１にはさらにその側部に電源スイッチ６、運転表示用ランプ７ａ及び浄水剤の交換表示用ランプ７ｂが設けられると共に、先端にプラグ８を取り付けたコード９が接続されている。尚、このコードは両端部にプラグ或はソケットを取り付けたものであっても良い。
【００１４】
指示記号１０で示されたものは、透明の合成樹脂で形成した内部に定量の水１１を貯留させる浄水ポットであり、置き型でそれのみ単独で自立できると共に、その底部１０ａを基台部１の装着凹部４へ着脱可能に装着できるように構成され、一側部には取手部１０ｂが突設されている。
【００１５】
この浄水ポット１０内部には、循環パイプ１２が立設されると共に、この循環パイプ１２の基部１２ａの浄水ポット１０を基台部１の装着凹部４へその底部１０ａを装着した際に、駆動モータ２の永久磁石３と対向する位置に揚水ファン１３が支軸１３ａによって回転可能に取り付けられ、この揚水ファン１３と同軸に永久磁石１４が取り付けられ、駆動モータ２の永久磁石３と浄水ポット１０の底板１０ｄと装着凹部４の底板５を介して対向している。尚、この永久磁石３と１４の一方は、磁性体であっても良い。
【００１６】
循環パイプ１２の上端側は、浄水ポット１０の上部に設けたカゴ部１５に設けた挿通孔１５ａへ挿入されており、挿通孔１５ａの先端に設けた噴出口１５ｂは透明材質の蓋体１６の内頂部との間に所定の間隔を空けて対置している。尚、この噴出口１５ｂは、循環パイプ１２の先端をカゴ部１５の挿通孔１５ａより上方へ突出させることによって設けても良い。蓋体１６は浄水ポット１０の上縁に設けた周溝部１０ｃにその下面に垂下させたシール壁１６ａを嵌入させることによって着脱可能に浄水ポット１０へ取り付けられるもので、浄水ポット１０内部を外気からシールすると共に、一側部に着脱容易にするための把手部１６ｂが突設されている。
【００１７】
浄水ポット１０の上部は、カゴ部１５に続いて設けられた天板部１７によって覆われており、この天板部１７に注ぎ口１８が設けられると共に、この注ぎ口１８を覆って小カバー１９が蓋体１６に対し開閉可能に軸架されている。
【００１８】
カゴ部１５には多数の粒状の浄水剤２０が収用されると共に、カゴ部１５と注ぎ口１８との間は、天板部１７の略中央部の位置で該天板部１７より立設した仕切壁２１によって仕切られており、浄水ポット１０を傾けた際に浄水剤２０が注ぎ口１８の方へ出て来ないように構成されている。
【００１９】
したがって、図１に示した状態において、図３に示したプラグ８を図示してない電源ソケット部へ接続し、駆動モータ２の電源スイッチ６をＯＮさせると、運転表示用ランプ７ａが点灯し、図１に示したように駆動モータ２が回転を開始する。すると、永久磁石３と１４を利用した磁力吸着式の駆動力伝達手段により、揚水ファン１３が回転し、浄水ポット１０内の水１１を循環パイプ１２を介して浄水ポット１０の上部に揚水させて噴出口１５ｂより噴水式に噴出させると、該噴出された水は自然落下し、浄水剤２０内を通ってカゴ部１５より再び浄水ポット１０内へ戻ることを繰り返すことによって、浄水ポット１０の水は浄水される。そして、水が噴出口１２ｂより噴き出る様子や浄水剤を通って落下する様子は、透明の蓋体１６や浄水ポット１０の外壁を通して外部より看取できる。浄水ポット１０内の水は所定の時間循環パイプ１２を介して循環された後、図示してないタイマーによって駆動モータ２がＯＦＦされるので、浄水作用は停止される。そこで、取手部１０ｂを持って浄水ポット１０を基台部１より取り外し、冷蔵庫の中に冷却のために収納されるものである。
【００２０】
浄水作用は、これが行われる時、駆動モータ２が駆動される回数を図示してない回路が記憶しており、所定回数に達すると、浄水剤２０の交換表示用ランプ７ｂが点灯するので、これをもって浄水剤２０の寿命として、該浄水剤２０を交換するものである。
【００２１】
この浄水剤２０については活性炭、麦飯石、トルマリン、ゼオライト、ドロマイト、医王石、珪酸土、モタン、貝化石、コーラルサンド及びその他の公知の浄水剤を単体、又は適宜組み合わせ或は粉状にして適宜組み合わせて混練りして粒状にしたもの等を用いることができ、その形態に限定はない。
【００２２】
以上の説明は、浄水剤２０に粒状のものを適当量バラで用いているが、これを図４に示したように浄水剤をケース２３内に収納させ、このケース２３を上述したカゴ部１５内へ収納させるカートリッジ式としても良い。尚、指示記号２４と２５は網又は透水紙である。
【００２３】
【発明の効果】
この発明は以上のように構成したので次のような効果を奏し得る。
【００２４】
請求項１の用に構成すると、揚水ファンを設けた浄水ポットと駆動モータを設置した基台部を別体に構成しても、駆動モータの駆動力を揚水ファンへ伝達して浄水ポット内の水を循環パイプを介して該浄水ポット内で循環させて浄水させることができると共に、浄水が終えたら、浄水ポットを基台部より取り外して浄水ポットのみを冷蔵庫へ入れて冷却できるので、取り扱い易い上に、冷蔵庫内での収納スペースを省略できるという効果を奏し得る。
【００２５】
請求項２のように構成すると、噴出口より噴出する水を外部より見ることができるので、臨場感を清涼感を味わうことができるという効果を奏し得る。
【００２６】
請求項３のように構成すると、浄水剤の補充、交換、及び後処理が容易となるという効果を奏し得る。
【００２７】
請求項４のように構成すると、カゴ部内の粒状の浄水剤が注ぎ口より外へ出るのを防止できるという効果を奏し得る。
【図面の簡単な説明】
【図１】この発明に係るポット型浄水器の構成を概略的に示す縦断面図である。
【図２】図１に示したポット型浄水器の一部を欠載した平面図である。
【図３】図１に示したポット型浄水器の使用方法を説明する説明図である。
【図４】カートリッジ式の浄水剤の実施の形態を示す説明図である。
【符号の説明】
１  基台部
２  駆動モータ
２ａ  回転軸
３  永久磁石
４  装着凹部
５  底板
６  電源スイッチ
７ａ  運転表示用ランプ
７ｂ  交換表示用ランプ
８  プラグ
９  コード
１０  浄水ポット
１０ａ  底部
１０ｂ  取手部
１０ｃ  周溝部
１１  水
１２  循環パイプ
１２ａ  基部
１２ｂ  噴出口
１３  揚水ファン
１３ａ  支軸
１４  永久磁石
１５  カゴ部
１５ａ  挿通孔
１５ｂ  噴出口
１６  蓋体
１６ａ  シール壁
１６ｂ  把手部
１７  天板部
１８  注ぎ口
１９  小カバー
２０  浄水剤
２１  仕切壁
２３  ケース
２４  網
２５  透水紙
【図１】
2004305996.tif 000003
【図２】
2004305996.tif 000004
【図３】
2004305996.tif 000005
【図４】
2004305996.tif 000006